(57)【特許請求の範囲】
【請求項１】
前面部に窓部を形成して該窓部の内周面に該窓部を覆う板材を係止させる板材係止枠部を備えた枠状のケース本体の２個を後端面同士で着脱自在に連結してなり、
前記各ケース本体の内側にそれぞれの後端面側からケース内枠体を着脱自在に篏合して、
前記２個のケース内枠体の後端面同士との間に複数枚の透明板を挟持したものであって、
さらに、前記２個のケース内枠体は、一方のケース内枠体の奥行長さは篏合したケース本体の奥行長さより短くして後端面がケース本体後端面より内側に位置するものとして内段部を形成してあり、また、他方のケース内枠体の奥行長さは篏合したケース本体の奥行長さより長くして後端面がケース本体の後端面より外側に延出する延出部を形成してあり前記内段部に篏合するものとしたものであって、
前記２個のケース本体の窓部を覆う板材の少なくとも一方を透明としたことを特徴とする立体物展示用ケース。
【請求項２】
前記２個のケース本体の窓部を覆う板材の双方を透明とした請求項１に記載の立体物展示用ケース。
【請求項３】
前記２個のケース内枠体の後端面同士との間に挟持される透明板を２枚とした請求項１又は２に記載の立体物展示用ケース。
【請求項４】
前記枠状のケース本体の２個を後端面同士で着脱自在に連結する手段を磁石よりなるものとした請求項１〜３の何れか１項に記載の立体物展示用ケース。
【発明の詳細な説明】
【技術分野】
【０００１】
本発明は、ドライフラワー、人形、乗物模型等の立体物と共に写真、メッセージカード等のカード類も的確に展示することができる立体物展示用ケースに関するものである。
【背景技術】
【０００２】
前記した立体物とカード類を展示するとしては、本出願人の実用新案登録第３１１５２８５号（特許文献１）の立体物展示ケースが知られております。
【０００３】
ところが、これはカード類を磁力により重ね合わせた２枚の透明板材の間に挟持させて、枠状のケース本体の前後開口の一方の開口に磁力により着脱自在に覆う構造としたものであり、カード類がケース本体の中にセットするものでは無かった。
【０００４】
また、写真をフレームの中にセットして表面、裏面の双方から見えるよう展示するものが知れております（特許文献２）。しかし、これは立体物を展示するための配慮がなされていないものであります。
【先行技術文献】
【特許文献】
【０００５】
【特許文献１】登録実用新案３２０５０３１号公報
【特許文献２】登録実用新案３１１５２８５号公報
【発明の概要】
【発明が解決しようとする課題】
【０００６】
本発明は前記のような問題を解決して、立体物を展示できると共にカード類も中に的確に展示することができる立体物展示用ケースを提供することを目的として完成されたものである。
【課題を解決するための手段】
【０００７】
本発明の立体物展示用ケースは、前面部に窓部を形成して該窓部の内周面に該窓部を覆う板材を係止させる板材係止枠部を備えた枠状のケース本体の２個を後端面同士で着脱自在に連結してなり、前記各ケース本体の内側にそれぞれの後端面側からケース内枠体を着脱自在に篏合して、前記２個のケース内枠体の後端面同士との間に複数枚の透明板を挟持したものであって、前記２個のケース本体の窓部を覆う板材の少なくとも一方を透明としたことを特徴とするものである。
【０００８】
また、前記２個のケース本体の窓部を覆う板材の双方を透明としてもよいものである。また、前記２個のケース内枠体の後端面同士との間に挟持される透明板を２枚としてもよい。
【０００９】
さらに、前記枠状のケース本体の２個を後端面同士で着脱自在に連結する手段を磁石よりなるものとすることが好ましいものである。
なお、本発明では透明とは無色透明に限らず有色透明も含むものであり、透明板も無色透明板に限らず有色透明板も含むものである。
【発明の効果】
【００１０】
前記した本発明の立体物展示用ケースは、各枠状のケース本体の内側に篏合する２個のケース内枠体の後端面同士との間に複数枚の透明板を挟持しているので、これら透明板の間に写真、メッセージカード等のカード類を保持して展示できるものである。また、該透明板と各枠状のケース本体の窓部との間のケース内枠体の空間にドライフラワー、人形、乗物模型等の立体物を収納して展示できるものである。
【００１１】
そうすると、各枠状のケース本体の前面部に形成してある窓部を覆う板材のうち少なくとも一方は透明としているので、この透明の板材からカード類、立体物が展示されることとなる。なお、前記２個のケース本体の窓部を覆う板材の双方を透明とすれば、両ケース本体の窓部の双方から収納したカード類、立体物を視認することができるものである。
【００１２】
また、前記複数の透明板の間にカード類を挟むことにより、該透明板にドライフラワーを接着固定した場合に接着面がカード類により隠蔽されて綺麗な展示ができるものである。
【００１３】
また、前記各枠状のケース本体の内側に篏合する２個のケース内枠体は、奥行の違うものを変更して、透明板の前後位置を変更することができるものである。
【００１４】
なお、２個のケース内枠体の奥行は、全体で板材と透明板との厚さとを含めて両ケース本体に納まるものとするのは当然である。
【００１５】
また、ケース内枠体は枠状のケース本体に着脱自在に篏合したものであるので、ケース内枠体に立体物を収納した後にケース本体に篏合することができるので、ケース内枠体の前後から立体物の収納作業を行うことができるので、作業が容易で所定の位置に適格に収納できるものである。
【００１６】
また、前記枠状のケース本体の２個を後端面同士で着脱自在に連結する手段を磁石よりなるものとすることにより、着脱が容易となるばかりでなく、磁石をケース本体から隠蔽して取り付けする事ができるので綺麗な外観を呈することとなる。
【図面の簡単な説明】
【００１７】
【図１】本発明の実施形態を示す一部切欠斜視図である。
【図２】本発明の実施形態の断面図である。
【図３】本発明の実施形態のケース本体の２個を分離した状態で示す一部切欠斜視図である。
【図４】本発明の実施形態を分解して示す斜視図である。
【発明を実施するための形態】
【００１８】
次に、本発明の立体物展示用ケースの好ましい実施の形態を図面に基づいて説明する。
１、１は四角形状の枠状のケース本体であり、各ケース本体１は前面部1aに形成した窓部11の内周面に板材係止枠部12を備えたものである。前記ケース本体１の窓部11は各板材係止枠部12に前面周面を係止された板材２、２により覆われている。また、前記２枚の板材２、２の後面周囲には、各枠状のケース本体１、１の内側にそれぞれの後端面1b側から着脱自在に篏合するケース内枠体３、３の前端面3aが当接して、板材２、２を板材係止枠部12、12とで挟持することとなる。
【００１９】
また、前記２枚の板材２、２は少なくとも一方を透明として、該透明とした板材２を透してケース内枠体３に展示するドライフラワー、人形、乗物模型等の立体物（イ）を観賞できるものとしている。なお、前記２枚の板材２、２はこの実施形態では２枚とも透明としたものである。
【００２０】
前記２個のケース内枠体３、３は、一方のケース内枠体３（3A）の奥行長さは篏合したケース本体１の奥行長さより短くして後端面3bがケース本体１の後端面1bより内側に位置するものとして内段部31を形成して、また、他方のケース内枠体３（3B）の奥行長さは篏合したケース本体１の奥行長さより長くして後端面3bがケース本体１の後端面1bより外側に延出する延出部32を形成して前記内段部31に篏合するものとしている。
【００２１】
また、前記２個のケース内枠体３、３の後端面3b、3b同士との間には複数枚の透明板４が挟持されている。この実施形態では２枚であるが３枚以上であってもよい。そして、透明板４と透明板４の間に写真、メッセージカード等のカード類（ロ）を挟持して、前記透明とした板材２を透して窓部11から観賞することができるものである。
【００２２】
また、前記２個のケース本体１、１は後端面1b、1b同士で着脱自在に連結できる構造としたものである。これにより、ケース本体１、１は後端面1b、1bで一体とされて、板材２、ケース内枠体３及び透明板４がケース本体１、１の板材係止枠部12、12の間に挟持されることとなる。本実施形態では前記着脱自在に連結とする手段は、各ケース本体１、１の後端面1b、1bに互いにＮ極とＳ極が対向するように永久磁石５をそれぞれ埋め込んで磁力により強固に連結するもとしている。しかし、一方を磁石、他方を鉄等の磁性体としてもよい。
【００２３】
さらには、前記着脱自在に連結とする手段は、面ファスナーや掛金具を使用してもよく、着脱自在に連結えきるものであればどのような手段であっても良いものである。
【００２４】
なお、この図示の実施形態はケース本体１を四角形状の枠状として、これに合わせて、板材２、ケース内枠体３、透明板４も四角形状としたものである。しかし、ケース本体１を四角形状の枠状と限定されることなく、三角形状、五角形状、六角形状等の他の角形状としても、円形状、楕円形状等としてもよいことは勿論であり、その場合は板材２、ケース内枠体３、透明板４の形状もそれに合わせることは当然である。
【００２５】
このように構成されたものは、各枠状のケース本体１、１の内側に篏合する２個のケース内枠体３、３の後端面同士との間に複数枚即ち２枚の透明板４、４を挟持するので、これら２枚の透明板４、４との間に写真、メッセージカード等のカード類（ロ）を保持すれば透明板４を透してカード類（ロ）は透明とした板材２から視認できるものである。
【００２６】
また、該透明板４、４と各枠状のケース本体１、１の窓部11、11との間のケース内枠体３、３の空間にドライフラワー、人形、乗物模型等の立体物（イ）を収納して、透明とした板材２からこれも視認できるものである。なお、前記２枚の板材２、２を全て透明とすれば、両ケース本体１、１の窓部11、11の双方から収納したカード類、立体物が視認することができるものである。
【００２７】
また、ケース内枠体３、３はケース本体１、１に篏合自在であるから、ケース内枠体３に立体物を収納した後にケース本体１に篏合することができるので、ケース内枠体３の前後から立体物の収納作業を行うことができるので、作業が容易で所定の位置に適格に収納できるものである。
【００２８】
また、前記透明板４、４にカード類（ロ）を挟むことにより、透明板４にドライフラワー等の立体物（イ）を接着固定しても接着面がカード類（ロ）により隠蔽されて綺麗な展示ができるものである。
【符号の説明】
【００２９】
１  ケース本体
1a  前面部
11  窓部
12  板材係止枠部
1b  後端面
２  板材
３  ケース内枠体
3b  後端面
４  透明板
【要約】
【課題】立体物を展示できると共にカード類も的確に展示することができる立体物展示用ケースを提供する
【解決手段】前面部1aに窓部11を形成して該窓部11の内周面に該窓部11を覆う板材２を係止させる板材係止枠部12を備えた枠状のケース本体１の２個を後端面1b、1b同士で着脱自在に連結してなり、前記各ケース本体１の内側にそれぞれの後端面1b側からケース内枠体３を着脱自在に篏合して、前記２個のケース内枠体３、３の後端面3b、3b同士との間に複数枚の透明板４を挟持したものであって、前記２個のケース本体１の窓部11を覆う板材２の少なくとも一方を透明とする。
【選択図】図１【図１】
0006749619.tif 000002
【図２】
0006749619.tif 000003
【図３】
0006749619.tif 000004
【図４】
0006749619.tif 000005